(57)【特許請求の範囲】
【請求項１】
人体の腹部を被覆する伸縮性の前布片と、人体の臀部を被覆する後布片とを有し、前記前布片に、前布片と後布片との縫着箇所である一方の脇線部分から他方の脇線部分に至る横方向のダーツラインが、丈方向の複数箇所に形成されている体型補整用被服の製造方法であって、
前記前布片の製造は、前記前布片を作製する元となる元布片から、その両脇線部分を起点として、中央部にいくほど幅広となるような三日月状の布片を切除する工程と、切除後の対向する切除ライン同士を縫合することによって前記ダーツラインを形成する工程と、からなることを特徴とする体型補整用被服の製造方法。
【発明の詳細な説明】
【０００１】
【発明の属する技術分野】
本発明は、腹部の形態を補整することによって女性の体型、特にウエストラインから腹部にかけての形態をすっきりと整えるショーツ、ガードル、ボディースーツ、レオタード、水着等の体型補整用被服、及びペチコート等の股部分の無い体型補整用被服の製造方法に関するものである。
【０００２】
【従来の技術】
従来より、腹部やヒップの形態を補整し又は造形することによって女性の体型、特にウエストラインから太股にかけての形態をすっきりと整えるための体型補整用被服として、例えばガードルが提供されている。
【０００３】
このガードルは、基本的に腹部とヒップの全体を締めつけるようにして体型を整えるものであり、特に腹部については、ガードル本体の内側又は外側に、当て布として例えばダイヤ形状の非伸縮性の布片を密着させて縫着したり、又は宙吊り状に縫着したりすることにより、この当て布によって腹部全体を押さえつけるようになっているものが一般的である。
【０００４】
このようなガードルは、通常、ショーツの上に重ねて着用することから、圧迫感が強く、また嵩張るため、この圧迫感や嵩張り感を嫌う人も多い。一方、ショーツについては、肌に直接触れるため、今までは装着感と装着の容易性とが重視されており、体型補整についてはほとんど考慮されていないのが現状である。
【０００５】
本発明はこのような問題点を解決すべく創案されたものであって、その目的は、腹部にたまった脂肪がどのように弛むのかといった人間工学的な見地から、主に腹部の弛みに有効に作用する構造とすることによって、ショーツのように薄くて軽い布地であっても、腹部の補整機能をしっかりと得ることのできる体型補整用被服の製造方法を提供することにある。
【０００６】
【課題を解決するための手段】
上記課題を解決するため、本発明は、人体の腹部を被覆する伸縮性の前布片と、人体の臀部を被覆する後布片とを有し、前記前布片に、前布片と後布片との縫着箇所である一方の脇線部分から他方の脇線部分に至る横方向のダーツラインが、丈方向の複数箇所に形成されている体型補整用被服の製造方法であって、前記前布片の製造は、前記前布片を作製する元となる元布片から、その両脇線部分を起点として、中央部にいくほど幅広となるような三日月状の布片を切除する工程と、切除後の対向する切除ライン同士を縫合することによって前記ダーツラインを形成する工程と、からなるものである。
【０００９】
【発明の実施の形態】
以下、本発明の実施の形態について、図面を参照して説明する。
【００１０】
図１は、本発明の体型補整用被服の一例として、ショーツに適用した場合の具体例を示しており、（ａ）は正面から見た図、（ｂ）は斜め後方から見た図、（ｃ）は斜め前方から見た図である。
【００１１】
このショーツ１は、その全体が伸縮性のある布地によって縫製されており、人体の腹部を被覆する前布片２と、人体の臀部を被覆する後布片３と、これら前布片２の下端部２ａと後布片３の下端部（図示省略）とを接合する股布片４とで構成されている。
【００１２】
また、前布片２には、前布片２と後布片３との縫着箇所である一方の脇線部分５ａから他方の脇線部分５ｂに至る横方向のダーツライン６，７，８が、丈方向（図では上下方向）に所定の間隔を存して複数箇所（本実施の形態では、３箇所）に形成されている。
【００１３】
このダーツライン６，７，８は、図２に示すように、前布片２を作製する元となる外周寸法の同じ元布片２１から、この元布片２１の両脇線部分５ａ、５ｂを起点として、中央部（腹部中央部）にいくほど幅広となるような三日月状の布片（図中、斜線を付して示す）１１，１２，１３を切除し、切除後の対向する切除ライン同士（すなわち、切除ライン６ａ，６ｂ同士、切除ライン７ａ，７ｂ同士、切除ライン８ａ，８ｂ同士）をそれぞれ縫合することによって形成されている。つまり、前布片２は、ウエストライン９からダーツライン６までの第１小片２１と、ダーツライン６からダーツライン７までの第２小片２２と、ダーツライン７からダーツライン８までの第３小片２３と、ダーツライン８から股布片４との接合部分までの第４小片２４とで形成されている。
【００１４】
従って、前布片２は、元布片２１と比べると、ウエストライン９の長さ、股ぐり部分１０の長さ、及び両脇線部分５ａ，５ｂの長さが同じであるが、その丈が、切除された布片１１，１２，１３の長さ分だけ短くなっている。元布片２１は従来のショーツの前布片の寸法であり、本実施の形態の体型補整用被服では、この前布片２の丈方向の寸法が、従来のショーツの前布片（元布片）２１からダーツをとった分だけ短くなっている点に特徴を有するものである。さらに言えば、この前布片２の両脇線部分５ａ，５ｂの長さが、従来のショーツのものと同じ長さになっている点も特徴的なところである。
【００１５】
また、このダーツライン６，７，８は、例えば着用して椅子などに座ったとき、腹部にたまった脂肪がどのように弛むのかといった人間工学的な見地から、腹部の弛みに有効に作用する位置に設けている。すなわち、図３に示すように、腹部にたまった脂肪の緩みは２段、３段といったように段状になるので、その段状になった最も前に出ている部分Ｐに沿うようにダーツライン６，７，８を設ければよい。つまり、従来のショーツではこの最も前に出ている部分に沿っていた布片が、本実施の形態では切除すべき三日月状の布片１１，１２，１３（図２参照）となっている。ただし、脂肪が弛む状態は肥満度や体型によっても違うので、ダーツライン６，７，８はこれらを考慮して、一般的に有効であると思われる位置に設けておけばよい。
【００１６】
このようにダーツライン６，７，８を設けると、各ダーツライン６，７，８は、図４にそのイメージを示すように、あたかもぜい肉を摘んで左右両側に引き上げるように作用し、その結果、腹部の弛みを効果的に補整することができるものである。
【００１７】
図５（ａ）は、本実施の形態の体型補整用被服を着用したときに、前布片２に作用する張力を図示したものであり、同図（ｂ）は、従来のショーツを着用したときに、同じく前布片に作用する張力を図示したものである。
【００１８】
従来のショーツでは、前布片全体で人体の腹部全体から受ける丈方向（縦方向）の張力を均等に吸収することになるが、本実施の形態の体型補整用被服では、丈方向の張力が各小片２１〜２４ごとに分散されている。また、従来のショーツでは、前布片全体で人体の腹部全体から受ける横方向の張力を均等に吸収することになるが、本実施の形態の体型補整用被服では、それぞれのダーツライン６，７、８ごとに分散して横方向の張力を吸収するようになっている。
【００１９】
つまり、各ダーツライン６，７，８のそれぞれが、ウエストライン９と同様の作用を持っている。そのため、例えばウエストライン９の部分が切れた場合でも、各ダーツライン６，７，８で前布片２を保持することができる。このことは、逆に言えば、ウエストライン９にかかる下向きの張力が、従来のショーツに比べてはるかに小さいことを意味している。
【００２０】
すなわち、本実施の形態の体型補整用被服の前布片２の丈は、従来のショーツの前布片の丈より短くなっているため、これを着用したときには、従来のショーツよりも大きな丈方向の張力が、前布片２の主に中央部分にかかることになるが、このような丈方向の張力は上記した如く各小片２１〜２４によって分散されており、かつ横方向の張力も上記した如く各ダーツライン６，７，８によって分散されているので、着用したときに前布片２のウエストライン９がその張力によって下方にずれていくといった事態は発生しない。しかも、上記した如く、両脇線部分５ａ，５ｂの長さは、従来のショーツのものと同じ長さになっているので、この両脇線部分５ａ，５ｂでも、前布片２に作用する下向きの張力を受け止めることができるようになっており、安定した装着感が得られるものである。
【００２１】
なお、上記実施の形態では、ダーツラインを３本設けているが、２本程度であっても十分にその機能を果たすことが可能である。また、反対に４本以上設けてもよいが、あまり多すぎると腹部の全体を圧迫することになり、従来のガードルと変わらなくなるので、２〜４本程度が好適である。
【００２２】
また、上記実施の形態では、本発明の体型補整用被服を股部のあるショーツに適用しているが、股部の無い例えばペチコート等に適用した場合でも、同様の効果が得られるものである。
【００２３】
【発明の効果】
本発明の製造方法によれば、体型補整用被服は、前布片に、前布片と後布片との縫着箇所である一方の脇線部分から他方の脇線部分に至る横方向のダーツラインを丈方向の複数箇所に形成している。また、そのダーツラインは、前布片を作製する元となる外形寸法の同じ元布片の両脇線部分を起点とし、中央部にいくほど幅広となるような三日月状の布片を切除し、切除後の対向する切除ライン同士を縫合することによって形成している。つまり、腹部にたまった脂肪の弛み部分に相当する布片を切除して、その切除部分にダーツラインを設けているので、あたかも腹部にたまった脂肪（ぜい肉）を摘んで左右両側に引き上げるように作用し、その結果、腹部の弛みを効果的に補整することができるものである。
【図面の簡単な説明】
【図１】本発明の体型補整用被服をショーツに適用した場合の具体例を示しており、（ａ）は正面から見た図、（ｂ）は斜め後方から見た図、（ｃ）は斜め前方から見た図である。
【図２】前布片にダーツラインを形成する方法を示す説明図である。
【図３】腹部にたまった脂肪を本発明の体型補整用被服で補整するときの作用をイメージ的に示した説明図である。
【図４】腹部にたまった脂肪を本発明の体型補整用被服で補整するときの作用をイメージ的に示した説明図である。
【図５】（ａ）は、本実施の形態の体型補整用被服を着用したときに、前布片に作用する張力を示した説明図、（ｂ）は、従来のショーツを着用したときに、同じく前布片に作用する張力を示した説明図である。
【符号の説明】
１  ショーツ
２  前布片
３  後布片
４  股布片
５ａ，５ｂ  脇線部分
６，７，８  ダーツライン
９  ウエストライン
１１，１２，１３  切除された布片
【図１】
0003801372.tif 000002
【図２】
0003801372.tif 000003
【図３】
0003801372.tif 000004
【図４】
0003801372.tif 000005
【図５】
0003801372.tif 000006